(57)【特許請求の範囲】
【請求項１】
撮影に関する特定の設定を自動で行う第一の設定モードと、ユーザの第一の操作部材への操作量に基づいて前記特定の設定を行う第二の設定モードとを切り替える撮影制御装置であって、
撮影に関する準備を行う撮影準備指示を受け付ける受付手段と、
ユーザの操作に応じて前記第一の設定モードから前記第二の設定モードへと切り替えるように制御し、前記第一の設定モードから前記第二の設定モードへ切り替えるユーザ操作が、前記撮影準備指示を受け付ける前に行われたか、前記撮影準備指示を受け付けている状態で行われたかによって、前記第二の設定モードから前記第一の設定モードに戻すトリガーを異ならしめるように制御する制御手段であって、
前記受付手段が前記撮影準備指示を受け付ける前に、ユーザの操作により前記第一の設定モードから前記第二の設定モードに切り換わった場合には、前記受付手段が前記撮影準備指示を受け付けた状態から解除されても前記第二の設定モードから前記第一の設定モードへ切り替えず、
前記受付手段が前記撮影準備指示を受け付けている状態で、ユーザの操作により前記第一の設定モードから前記第二の設定モードへ切り換わった場合には、前記受付手段が前記撮影準備指示を受け付けた状態から解除されたことに応じて前記第二の設定モードから前記第一の設定モードへ切り替えるように制御する制御手段とを有することを特徴とする撮影制御装置。
【請求項２】
前記制御手段は、前記撮影準備指示を受け付ける前であっても、前記撮影準備指示を受け付けている状態であっても特定の操作に応じて、前記第一の設定モードから前記第二の設定モードへ切り換えるように制御することを特徴とする請求項１に記載の撮影制御装置。
【請求項３】
前記特定の操作は、前記第一の操作部材への操作であることを特徴とする請求項２に記載の撮影制御装置。
【請求項４】
前記特定の設定は、フォーカスの設定であることを特徴とする請求項１乃至３の何れか１項に記載の撮影制御装置。
【請求項５】
前記特定の設定は、シャッタースピード、絞り、ＩＳＯ感度のいずれかの設定であることを特徴とする請求項１乃至３の何れか１項に記載の撮影制御装置。
【請求項６】
前記制御手段は、前記第一の設定モードに切り替えられている場合に、前記撮影準備指示がされたことに応じて前記特定の設定を前記第一の設定モードで行うように制御することを特徴とする請求項１乃至５の何れか１項に記載の撮影制御装置。
【請求項７】
前記撮影準備指示は、前記第一の操作部材とは別に設けられるシャッターボタンの押下が完了するまでの途中である所定の押下状態になると行われることを特徴とする請求項１乃至６の何れか１項に記載の撮影制御装置。
【請求項８】
撮影指示は、前記シャッターボタンの押下が完了したことに応じて行われ、
前記制御手段は、前記第一の設定モードに切り替えられている場合に、前記撮影指示がされた後に、前記所定の押下状態になっても前記特定の設定を前記第一の設定モードで行わないように制御することを特徴とする請求項７に記載の撮影制御装置。
【請求項９】
前記制御手段は、前記第一の設定モードから前記第二の設定モードへ切り換えられたことに応じて、前記第二の設定モードに切り替えられたことを示すガイドを表示するように制御することを特徴とする請求項１乃至８の何れか１項に記載の撮影制御装置。
【請求項１０】
前記制御手段は、前記撮影準備指示の前にユーザからの操作により、前記第一の設定モードから前記第二の設定モードへ切り換えられないまま、前記撮影準備指示がされたら、前記第二の設定モードへ、前記第一の操作部材への操作がされてから前記撮影準備指示がされなくなるまでの期間、切り替え可能であることを示すガイドを表示するように制御することを特徴とする請求項１乃至９の何れか１項に記載の撮影制御装置。
【請求項１１】
前記制御手段は、前記撮影準備指示の前にユーザの操作によって前記第一の設定モードから前記第二の設定モードに切り替えられた場合には、撮影準備指示が解除された後にユーザからの操作が行われたことに応じて前記第二の設定モードから前記第一の設定モードに切り替わるように制御することを特徴とする請求項１乃至１０の何れか１項に記載の撮影制御装置。
【請求項１２】
前記制御手段は、前記特定の設定の設定モードに関する第一の設定がされた場合には、前記撮影準備指示の前に前記第一の操作部材への操作に応じて前記第一の設定モードから前記第二の設定モードに切り替え、前記第一の設定がされなかった場合には、前記撮影準備指示前に前記第一の操作部材への操作がされても前記第一の設定モードから前記第二の設定モードに切り替えないように制御することを特徴とする請求項１乃至１１の何れか１項に記載の撮影制御装置。
【請求項１３】
前記制御手段は、前記特定の設定の設定モードに関する第二の設定が有効に設定されている場合には、前記第一の設定モードでの前記特定の設定をした後に、前記第一の操作部材への操作がされたこと応じて前記第二の設定モードでの前記特定の設定をし、前記第二の設定が無効に設定されている場合には、前記第一の設定モードでの前記特定の設定をした後に、前記第一の操作部材への操作がされても、前記第二の設定モードでの前記特定の設定をしないように制御することを特徴とする請求項１２に記載の撮影制御装置。
【請求項１４】
前記特定の設定の設定モードに関する第一の設定がされ、かつ前記特定の設定の設定モードに関する第二の設定が有効に設定されると、
前記制御手段は、前記受付手段が前記撮影準備指示を受け付ける前に、ユーザの操作により前記第一の設定モードから前記第二の設定モードへ切り換わった場合には、前記受付手段が前記撮影準備指示を受け付けた状態から解除されても前記第二の設定モードから前記第一の設定モードへ切り替えず、
前記受付手段が前記撮影準備指示を受け付けている状態で、ユーザの操作により前記第一の設定モードから前記第二の設定モードへ切り換わった場合には、前記受付手段が前記撮影準備指示を受け付けた状態から解除されたことに応じて前記第二の設定モードから前記第一の設定モードへ切り替えるように制御することを特徴とする請求項１２または１３に記載の撮影制御装置。
【請求項１５】
前記制御手段は、前記第一の設定がされた場合には、撮影準備指示前にユーザからの操作により前記第二の設定モードでの前記特定の設定がされることを示すガイドを表示することを特徴とする請求項１２乃至１４の何れか１項に記載の撮影制御装置。
【請求項１６】
前記特定の設定の設定モードが前記第一の設定モードか、前記第二の設定モードかを記録する記録手段をさらに有し、
前記受付手段が前記撮影準備指示を受け付ける前に前記第一の設定モードから前記第二の設定モードに切り替えられた場合には、前記記録手段に記録する設定モードを前記第二の設定モードに切り替え、前記撮影準備指示を受け付けている状態で前記第一の設定モードから前記第二の設定モードに切り替えられた場合には、前記記録手段に記録する設定モードを前記第二の設定モードに切り替えないように制御することを特徴とする請求項１乃至１５の何れか１項に記載の撮影制御装置。
【請求項１７】
前記第一の操作部材は回転部材であることを特徴とする請求項１乃至１６の何れか１項に記載の撮影制御装置。
【請求項１８】
前記制御手段は、前記撮影準備指示の前に前記ユーザからの操作により、前記第一の設定モードから前記第二の設定モードへ切り換えられた場合には、ユーザの前記第一の操作部材への操作量に基づいて行った前記特定の設定の設定位置から所定の範囲内で前記特定の設定を自動で行うことを示すアイコンを表示するように制御することを特徴とする請求項１乃至１７に何れか１項に記載の撮影制御装置。
【請求項１９】
前記制御手段は、前記撮影準備指示の前に前記ユーザからの操作により、前記第一の設定モードから前記第二の設定モードへ切り換えられない場合は、前記アイコンを表示せず、前記撮影準備指示を受け付けている状態で前記ユーザからの操作により、前記第一の設定モードから前記第二の設定モードへと切り換えられた場合も、前記アイコンを表示しないように制御することを特徴とする請求項１８に記載の撮影制御装置。
【請求項２０】
撮影に関する特定の設定を自動で行う第一の設定モードと、ユーザの第一の操作部材への操作量に基づいて前記特定の設定を行う第二の設定モードとを切り替える撮影制御装置の制御方法であって、
撮影に関する準備を行う撮影準備指示を受け付ける受付ステップと、
ユーザの操作に応じて前記第一の設定モードから前記第二の設定モードへと切り替えるように制御する制御ステップであって、
前記受付ステップにおいて前記撮影準備指示を受け付ける前に、ユーザの操作により前記第一の設定モードから前記第二の設定モードに切り換わった場合には、前記受付ステップにおいて前記撮影準備指示を受け付けた状態から解除されても前記第二の設定モードから前記第一の設定モードへ切り替えず、
前記受付ステップにおいて前記撮影準備指示を受け付けている状態で、ユーザの操作により前記第一の設定モードから前記第二の設定モードへ切り換わった場合には、前記受付ステップにおいて前記撮影準備指示を受け付けた状態から解除されたことに応じて前記第二の設定モードから前記第一の設定モードへ切り替えるように制御する制御ステップとを有することを特徴とする撮影制御装置の制御方法。
【請求項２１】
コンピュータを、請求項１乃至１９のいずれか１項に記載された撮影制御装置の各手段として機能させるためのプログラム。
【請求項２２】
コンピュータを、請求項１乃至１９のいずれか１項に記載された撮影制御装置の各手段として機能させるためのプログラムを格納したコンピュータが読み取り可能な記録媒体。
【発明の詳細な説明】
【技術分野】
【０００１】
本発明は、撮影制御装置およびその制御方法に関し、特に撮影に関する特定の設定を自動でするか、ユーザの操作量に基づいてするかを切り替える技術に関する。
【背景技術】
【０００２】
撮影に関する特定の設定をオートで行うか、マニュアルで行うかを切り替える技術がある。特許文献１には、ＡＦ（オートフォーカス）に設定されている場合には撮影準備指示でＡＦ処理をし、さらに撮影準備指示がされていない撮影の待機中には、リング回転操作に応じてＡＦからＭＦ（マニュアルフォーカス）に切り替え可能であることが開示されている。特許文献２には、連続ＡＦモードでは、ＡＦスタートスイッチがオンされるとＡＦが開始すること、ＡＦが連続して実行されている場合にフォーカスリングの回転操作があるとＭＦに切り替わることが提案されている。さらに、フォーカスリングの回転操作によりＡＦからＭＦモードに切り替わった後は、ＡＦスタートスイッチが再びオンされない限りＡＦモードには切り替わらないことが提案されている。なお、ここでは撮影とは、撮像素子によって撮像を行うとともに撮像された画像を記録する動作を言う。
【先行技術文献】
【特許文献】
【０００３】
【特許文献１】特開２０１１−３９２０６号公報
【特許文献２】特開２００３−３３７２７８号公報
【発明の概要】
【発明が解決しようとする課題】
【０００４】
撮影の直前に、ＡＦによる焦点調節をした後に、ＭＦに切り替え、よりユーザ所望の詳細な焦点調節をする需要がある。しかしながら、特許文献１のリング回転操作でのＭＦへの切り替えでは、撮影準備中にＡＦからＭＦに切り替えることができない。一方、特許文献２ではＡＦスタートスイッチでＡＦした後にフォーカスリングの回転操作によってＭＦに切り替えることができる。しかし、撮影をするまでの一時的な期間だけＭＦにしたかった場合にはＡＦに戻すために再びＡＦスタートスイッチを操作しなければならない。一方で、撮影をするまでの一時的な期間ではなく、撮影待機中であっても、撮影準備指示後であってもフォーカス調整をＭＦで行えるようにしたい場合もある。
【０００５】
本発明は、上記の課題に鑑み、よりユーザの意図に沿った期間、撮影に関する特定の設定をマニュアル操作によって行うことのできる撮影制御装置の提供を目的とする。
【課題を解決するための手段】
【０００６】
上記目的を達成するために、本発明の撮影制御装置は、撮影に関する特定の設定を自動で行う第一の設定モードと、ユーザの第一の操作部材への操作量に基づいて前記特定の設定を行う第二の設定モードとを切り替える撮影制御装置であって、
撮影に関する準備を行う撮影準備指示を受け付ける受付手段と、
ユーザの操作に応じて前記第一の設定モードから前記第二の設定モードへと切り替えるように制御し、前記第一の設定モードから前記第二の設定モードへ切り替えるユーザ操作が、前記撮影準備指示を受け付ける前に行われたか、前記撮影準備指示を受け付けている状態で行われたかによって、前記第二の設定モードから前記第一の設定モードに戻すトリガーを異ならしめるように制御する制御手段であって、
前記受付手段が前記撮影準備指示を受け付ける前に、ユーザの操作により前記第一の設定モードから前記第二の設定モードに切り換わった場合には、前記受付手段が前記撮影準備指示を受け付けた状態から解除されても前記第二の設定モードから前記第一の設定モードへ切り替えず、
前記受付手段が前記撮影準備指示を受け付けている状態で、ユーザの操作により前記第一の設定モードから前記第二の設定モードへ切り換わった場合には、前記受付手段が前記撮影準備指示を受け付けた状態から解除されたことに応じて前記第二の設定モードから前記第一の設定モードへ切り替えるように制御する制御手段とを有することを特徴とする。
【発明の効果】
【０００７】
本発明によれば、よりユーザの意図に沿った期間、撮影に関する特定の設定をマニュアル操作によって行うことができる。
【図面の簡単な説明】
【０００８】
【図１】（ａ）、（ｂ）本実施形態の構成を適用可能な装置の一例としてのデジタルカメラの外観図
【図２】本実施形態の構成を適用可能な装置の一例としてのデジタルカメラの構成例を示すブロック図
【図３】本実施形態の静止画モードを示すフローチャート
【図４】（ａ）〜（ｈ）本実施形態の表示部の表示例を示す図
【発明を実施するための形態】
【０００９】
以下、図面を参照して本発明の好適な実施形態を説明する。
【００１０】
＜第１実施形態＞
図１（ａ）、（ｂ）には本発明の撮影制御装置の一例としてのデジタルカメラ１００の外観図を示す。表示部２８は画像や各種情報を表示する表示部である。シャッターボタン６１は撮影指示を行うための（押下されると第一段階で撮影指示を受付け、第二段階で撮影を実行する）操作部である。モード切替スイッチ６０は各種モードを切り替えるための操作部である。コネクタ１１２は例えばＰＣやプリンタと接続するための接続ケーブル１１１をデジタルカメラ１００に接続するためのコネクタである。操作部７０はユーザからの各種操作を受け付ける各種スイッチ、ボタン、タッチパネル等の操作部材より成る操作部である。コントローラホイール７３は操作部７０に含まれる回転操作可能な操作部材である。電源スイッチ７２は、電源オン、電源オフを切り替えるための押しボタンである。メニューボタン７５は撮影モードからメニュー画面（メニューモード）へと切り換える、もしくは再生モードからメニュー画面へと切り替えるボタンであり、メニュー画面においては、フォーカスモードの設定等を行うことができる。モード切替スイッチ６０は、静止画や動画等のモードを切り替え可能なスイッチである。記録媒体２００はメモリカードやハードディスク等の不揮発性の記録媒体である。記録媒体スロット２０１は記録媒体２００を格納するためのスロットである。記録媒体スロット２０１に格納された記録媒体２００は、デジタルカメラ１００との通信が可能となり記録や再生が可能となる。蓋２０２は記録媒体スロット２０１の蓋である。図においては、蓋２０２を開けてスロット２０１から記録媒体２００の一部を取り出して露出させた状態を示している。レンズ部１０３は、レンズを含み、レンズ位置の制御がされると、レンズ部１０３に含まれるレンズの位置が変更されフォーカスの調整を行うことができる。レンズ部１０３を囲うように、レンズ部１０３の外周に沿うように回転可能であるコントローラリング７４がある。
【００１１】
図２は本発明の撮影制御装置の一例としてのデジタルカメラ１００の構成例を示すブロック図である。図２において、レンズ部１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、撮像部２２から出力されるアナログ信号をデジタル信号に変換するために用いられる。
【００１２】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１３】
Ａ／Ｄ変換器２３からの出力データは、画像処理部２４及びメモリ制御部１５を介して、或いは、画像処理部２４を介さずメモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１４】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示（ライブビュー表示）を行える。
【００１５】
不揮発性メモリ５６は、コンピュータを内蔵したシステム制御部５０によって電気的に消去・記録・読出し可能な記録媒体としてのメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのコンピュータプログラムのことである。
【００１６】
システム制御部５０は、デジタルカメラ１００全体を制御する。前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００１７】
モード切替スイッチ６０、シャッターボタン６１、操作部７０はシステム制御部５０に各種の動作指示を入力するための操作手段である。
【００１８】
モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。モード切替スイッチ６０で、メニュー画面に含まれるこれらのモードのいずれかに直接切り替えられる。あるいは、モード切替スイッチ６０でメニュー画面に一旦切り換えた後に、メニュー画面に含まれるこれらのモードのいずれかに、他の操作部材を用いて切り替えるようにしてもよい。同様に、動画撮影モードにも複数のモードが含まれていてもよい。
【００１９】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２０】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２による静止画撮像動作、撮像部２２からの信号読み出しから記録媒体２００に画像データを書き込むまでの一連の撮影処理の動作を開始する。
【００２１】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００２２】
コントローラホイール７３は、操作部７０に含まれる回転操作可能な操作部材であり、方向ボタン（左右上下ボタンを有する十字キー）と共に選択項目を指示する際などに使用される。
【００２３】
コントローラリング７４は、レンズ部１０３の外周に沿って設けられる回転可能な操作部材である。コントローラホイール７３及びコントローラリング７４を回転操作すると、操作量に応じて電気的なパルス信号が発生し、このパルス信号に基づいてシステム制御部５０はデジタルカメラ１００の各部を制御する。このパルス信号によって、回転操作された角度や、何回転したかなどを判定することができる。なお、コントローラホイール７３、コントローラリング７４は回転操作が検出できる操作部材であればどのようなものでもよい。例えば、ユーザの回転操作に応じてコントローラホイール７３、コントローラリング７４自体が回転してパルス信号を発生するダイヤル操作部材であってもよい。コントローラリング７４はレンズ部１０３の外周にそって設けられているので、ユーザがデジタルカメラ１００を構えた状態でも容易に回転する操作を行うことができる。また、図１には図示していないが、接眼部を覗いて撮影を行うような場合であってもコントローラリング７４は操作しやすい。コントローラホイール７３、コントローラリング７４にはそれぞれ、ホワイトバランスの調整や、マニュアルフォーカスへの切り替え、ズーム調整、ＩＳＯ感度の調整等の機能を割当てることができる。またマニュアルモードや、Ａｖモード、Ｔｖモード、Ｐ（プログラム）モードとモード毎に割り当てる機能を設定可能である。
【００２４】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。電源スイッチ７２は、スイッチが切り替えられたことに応じてシステム制御部５０にＯＮとＯＦＦ状態のいずれになったことを伝える。
【００２５】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影時に画像を記録するためのメモリカード等の不揮発性の記録媒体であり、半導体メモリや光ディスク、磁気ディスク等から構成される。
【００２６】
図３を用いて本実施形態における静止画モードの処理について説明する。この処理は、不揮発性メモリ５６に記録されたプログラムをシステムメモリ５２に展開してシステム制御部５０が実行することで実現する。なお、この処理は、デジタルカメラ１００に電源が入り、静止画撮影が可能になると開始する。
【００２７】
Ｓ３０１では、システム制御部５０は、図４（ａ）〜（ｈ）のように、ライブビュー画像４０１を表示部２８に表示する。
【００２８】
Ｓ３０２では、システム制御部５０は、ＡＦ＋ＭＦ機能（ＡＦで大まかなフォーカス調整を行った上でＭＦによりユーザが詳細なフォーカス調整を行う機能）の項目が選択されたか否かを判定する。ＡＦ＋ＭＦ機能に関する項目はメニュー画面において選択することができる。メニュー画面を開く操作があって、ＡＦ＋ＭＦ機能が選択されたと判定した場合は、Ｓ３０３へ進み、そうでない場合は、Ｓ３０６へ進む。
【００２９】
Ｓ３０３では、システム制御部５０は、ＡＦ＋ＭＦ機能の設定が有効に設定された否かを判定する。ＡＦ＋ＭＦ機能は、メニュー画面において、ＡＦ＋ＭＦ機能の項目の選択後に、ユーザ操作によってＯＮが選択されると有効に設定される。ＡＦ＋ＭＦ機能の設定が有効に設定されたと判定した場合は、Ｓ３０４へ進み、そうでない場合（ＯＦＦ、無効に設定された場合）は、Ｓ３０５へ進む。
【００３０】
Ｓ３０４では、システム制御部５０は、不揮発性メモリ５６にＡＦ＋ＭＦ機能の設定が有効に設定されたことを記録する。図４（ａ）、（ｅ）は、ＡＦ＋ＭＦの機能及びリングＭＦ機能が有効である場合の撮影待機中の表示例を示す図である。図４（ｅ）〜（ｈ）は、ＡＦ＋ＭＦ機能によってＡＦからＭＦに切り替えられた場合の撮影準備中の異なるタイミングにおける表示例を示すライブビュー画面の一例である。図４（ｅ）に示すように、ＡＦ＋ＭＦの機能が有効になっても撮影待機中には、ＡＦ＋ＭＦの機能に関するガイドを表示しない。
【００３１】
Ｓ３０５では、システム制御部５０は、不揮発性メモリ５６にＡＦ＋ＭＦ機能の設定が無効に設定されたことを記録する。
【００３２】
Ｓ３０６では、システム制御部５０は、コントローラリング７４に割り当てる機能（リング機能）を変更する指示がされたか（リング機能が選択されたか）否かを判定する。撮影待機状態において操作部７０に含まれる不図示のＦＵＮＣボタンを押下するとリング機能に割り当てる機能を変更可能な（設定可能な）画面に遷移する。もしくはメニュー画面において選択できるようにしてもよい。リング機能の変更が指示されたと判定した場合は、Ｓ３０７へ進み、そうでない場合は、Ｓ３１０へ進む。
【００３３】
Ｓ３０７では、システム制御部５０は、リング機能にＭＦ（マニュアルフォーカス）切替が割り当てられたか否かを判定する。リング機能には、ＭＦ切替の機能のほかに、Ｔｖ、Ａｖ、ＩＳＯ感度、露出補正の調整をする機能を割当てることができ、コントローラリング７４への操作（回転）がされると選択された機能が実行される。リング機能にＭＦ切替を割り当てる設定変更がされたと判定した場合は、Ｓ３０８へ進み、そうでない場合は、Ｓ３０９へ進む。なお、本実施形態ではコントローラリング７４へ機能が割り当てられるものとして説明するが、コントローラホイール７３にＭＦ切替を割り当てることもできる。
【００３４】
Ｓ３０８では、システム制御部５０は、不揮発性メモリ５６にリング機能にＭＦ切替の機能（以下、コントローラリング７４でのＭＦ切替の機能をリングＭＦ機能と称する）が設定されたことを記録する。また、リングＭＦ機能が有効になった場合には、図４（ａ）のガイド４０３に示すようにコントローラリング７４への操作によってピントのマニュアル調整（フォーカス位置のマニュアル調整）ができることを示す。図４（ｂ）〜（ｄ）はリングＭＦ機能によってＡＦからＭＦに切り替えられた場合のライブビュー画像の一例である。ＡＦ＋ＭＦ機能が有効かつ、リングＭＦ機能が設定されている場合には、ユーザのコントローラリング７４の回転のタイミングによって、図４（ｂ）〜（ｄ）のような画面が表示されるのか、図４（ｆ）〜（ｈ）のような画面が表示されるのか変わる。すなわち、撮影準備指示前にコントローラリング７４の操作がされた場合には図４（ｂ）〜（ｄ）に示すようなライブビュー画面が、撮影準備指示中にコントローラリング７４の操作がされた場合には図４（ｆ）〜（ｈ）に示すようなライブビュー画面が表示される。
【００３５】
Ｓ３０９では、システム制御部５０は、不揮発性メモリ５６にリング機能にその他の機能が設定されたことを記録する。
【００３６】
Ｓ３１０では、システム制御部５０は、フォーカスモードを変更する指示がされたか否かを判定する。フォーカスモードの変更はメニュー画面においてフォーカスモードの項目を選択して行うことができる。メニュー画面を開く操作があり、フォーカスモードの項目が選択され、フォーカスモードを変更する指示があったと判定した場合は、Ｓ３１１へ進み、そうでない場合は、Ｓ３１４へ進む。なお、フォーカスモードはメニュー画面でなくても、フォーカスモードをＡＦ（オートフォーカス）かＭＦかに切り替えるための操作部材を用意し、操作部材のへの操作によって切り替えるようにしてもよい。
【００３７】
Ｓ３１１では、システム制御部５０は、ＭＦに設定されたか否かを判定する。フォーカスモードの項目を選択するとさらに画面が遷移し、ＭＦとＡＦのいずれか（フォーカス調整の設定方式）を選択することができる。ＭＦは、ユーザの操作量に応じて合焦位置（合焦する被写体、レンズの位置）が決まる合焦の方法であり、ユーザのコントローラリング７４の回転量に応じて合焦位置を変更することができる。一方ＡＦでは、ユーザから撮影準備指示（ＳＷ１の指示）や、ＡＦ指示によって、ユーザに選択された被写体や撮像範囲の中央等の位置に合焦するように制御をする。ＡＦではレンズを前後に移動させることにより、被写体の明暗の差（コントラスト）を検出し、コントラストの大きな位置へ合焦するようにレンズを移動させる。コンティニュアスＡＦが設定された場合には、選択された被写体に常に合焦するように制御を行う。なお、ＡＦは、撮像画像より得たデフォーカス量情報に基づいて、レンズユニット１５０を制御し、レンズ部１０３の位置を変位させることで位相差ＡＦを行う、位相差ＡＦでもよい。ＭＦに設定されたと判定した場合は、Ｓ３１２へ進み、そうでない場合（ＡＦに設定された場合）は、Ｓ３１３へ進む。
【００３８】
Ｓ３１２では、システム制御部５０は、不揮発性メモリ５６にフォーカスモードにＭＦが設定されたことを記録する。
【００３９】
Ｓ３１３では、システム制御部５０は、不揮発性メモリ５６にフォーカスモードにＡＦが設定されたことを記録する。
【００４０】
Ｓ３１４では、システム制御部５０は、後述するリングＭＦフラグがオンにされているか否かを判定する。リングＭＦフラグがオンにされていた場合には、Ｓ３１５へ進み、そうでない場合は、Ｓ３１８に進む。
【００４１】
Ｓ３１５では、システム制御部５０は、リングＭＦ機能を解除するガイド４０４を図４（ｂ）のように表示する。図４（ｂ）に示すガイド４０４は、十字キー（コントローラホイール７３の上下左右の位置にあるボタン）の左ボタンの押下によってリングＭＦ機能を解除してＡＦに戻すことができることを示すガイドである。ガイド４０４は、６秒間や４秒間といった限られた時間のみ表示するようにしてもよい。
【００４２】
Ｓ３１６では、システム制御部５０は、十字キーの左ボタンが押下されたか否かを判定し、十字キーの左ボタンが押下されたと判定した場合は、Ｓ３１７へ進み、そうでない場合は、Ｓ３１８へ進む。
【００４３】
Ｓ３１７では、システム制御部５０は、フォーカスモードをＡＦに切り替え、不揮発性メモリ５６に記録する。
【００４４】
Ｓ３１８では、システム制御部５０は、コントローラリング７４を回転する操作があったか否かを判定する。コントローラリング７４を回転する操作があった場合には、Ｓ３１９へ進み、そうでない場合は、Ｓ３２４へ進む。
【００４５】
Ｓ３１９では、システム制御部５０は、リング機能にＭＦ切替が割り当てられているか否かを判定する。Ｓ３０６において不揮発性メモリ５６に記録されたリング機能の割り当て、もしくは静止画モードの処理が開始する前に不揮発性メモリ５６に記録されていたリング機能の割り当てを参照し、リング機能にＭＦ切替が割当たっているかの判定を行う。リング機能にＭＦ切替が割り当てられていると判定した場合は、Ｓ３２０へ進み、そうでない場合は、Ｓ３２３へ進む。
【００４６】
Ｓ３２０では、システム制御部５０は、現在のフォーカスモードの設定がＡＦであるか否かを判定する。現在のフォーカスモードの設定がＡＦであると判定した場合は、Ｓ３２１へ進み、そうでない場合は、Ｓ３２２へ進む。
【００４７】
Ｓ３２１では、システム制御部５０は、システムメモリ５２にフォーカスモードにＭＦが設定されたことを記録し、さらにリングＭＦフラグをオンにする。また、フォーカスモードがＡＦであって、リング機能にＭＦが割当たっている場合には、図４（ｂ）に示すように、コントローラリング７４を回転するとＭＦに切り替わる。また、図４（ｂ）のガイド４０２はコントローラリング７４の操作によってフォーカス調整が可能であることを示すガイドである。また、バー４０６はフォーカス位置を示すためのバーであり、コントローラリング７４の回転や、タッチ操作による指標の移動操作に応じてバーのフォーカス位置を示す指標が変わる。また、アイコン４０５はタッチを受け付けるタッチボタンであり、アイコン４０５がタッチされるとＭＦでフォーカス調整した近傍においてＡＦでのフォーカス調整がされる。リングＭＦフラグは、撮影準備指示前の撮影待機状態において、コントローラリング７４が回転されたことによりＡＦからＭＦに切り替えられたことを示すフラグである。言い換えれば、リングＭＦフラグは、リング機能によってＡＦからＭＦに切り替えられたことを示すフラグであり、撮影準備を行う前にＡＦではなくＭＦでフォーカスの調整ができるようにユーザが切り替えたことを示すフラグである。また、撮影準備指示を行う前にＭＦに切り替えると、Ｓ３２７で後述する撮影準備指示に応じてＡＦはされない。つまり、撮影準備指示前にＭＦに切り替えたユーザは、撮影準備指示に応じてＡＦがされずに、待機中であっても、撮影準備指示後であってもＭＦでのフォーカス調整をしようとしている可能性が高い（撮影準備指示に応じてＡＦされたくない）。
【００４８】
Ｓ３２２では、システム制御部５０は、コントローラリング７４の回転量を検出し、検出した回転量に応じた分、フォーカス位置を変更（レンズの位置を移動）させる。コントローラリング７４が右回りに回転された場合には、手前の被写体に合焦するようにフォーカス位置が移動し、左回りに回転された場合には、奥側の被写体に合焦するようにフォーカス位置が移動する。もしくは回転方向とフォーカスの移動方向とは逆でもよい。すなわち、マニュアルでのフォーカス調整が行われる。
【００４９】
Ｓ３２３では、システム制御部５０は、Ｓ３０９においてリング機能に設定されたその他の機能を実行する。
【００５０】
Ｓ３２４では、システム制御部５０は、シャッターボタン６１が半押しされたか（すなわち第一シャッタースイッチ６２がＯＮとなったか）否かを判定する。半押しされたと判定した場合は、Ｓ３２５へ進み、そうでない場合は、Ｓ３２８へ進む。
【００５１】
Ｓ３２５では、システム制御部５０は、フォーカス設定がＭＦに設定されているか否かを判定する。ＭＦに設定されていると判定した場合は、Ｓ３２６へ進み、そうでない場合は（ＡＦに設定されている場合は）、Ｓ３２７へ進む。
【００５２】
Ｓ３２６では、システム制御部５０は、ＡＥ（オートエクスポージャー、自動露出制御）を行い、絞りやシャッター速度を適切な値にする。また、図４（ｃ）に示すように、フォーカスモードは切り替えられないので、ガイド４０２は表示されたままである。撮影準備指示の前から既にＭＦに切り替えられているので、撮影準備指示がされてもＡＦ処理は行わない。なお、撮影準備指示に応じて必ずしもＡＥ処理を行わなくてもよい。
【００５３】
Ｓ３２７では、システム制御部５０は、ＡＦ処理とＡＥ処理を行う。Ｓ３２５において、フォーカスモードがＡＦに設定されていると判定されたので、ＡＥ処理だけではなく、ＡＦ処理も行う。つまり、ユーザがＳ３２４の前にコントローラリング７４の回転を行ってフォーカスモードをＭＦに切り替えなかった場合には、Ｓ３２７においてＡＦを行うが、コントローラリング７４の回転によってＭＦに切り替えられた場合にはＳ３２６においてＡＦを行わない。また、ＡＦ＋ＭＦが有効に設定されている場合には、図４（ｆ）のガイド４０７に示すように、撮影準備指示がされたのでＡＦ＋ＭＦの機能を実行可能であることを示すガイドを表示部２８に表示する。ＡＦ＋ＭＦの機能は撮影準備指示後において実行可能であるので、図４（ｅ）の撮影待機状態の場合には表示部２８にはガイド４０７は表示しない。
【００５４】
Ｓ３２８では、システム制御部５０は、静止画モードを終了するか否かを判定する。静止画モードを終了する操作とは、再生モードへの切り替えや、電源のＯＦＦをする操作である。
【００５５】
Ｓ３２９では、システム制御部５０は、Ｓ３１８と同様に、コントローラリング７４を回転する操作があったか否かを判定する。コントローラリング７４を回転する操作があった場合には、Ｓ３３０へ進み、そうでない場合は、Ｓ３３４へ進む。
【００５６】
Ｓ３３０では、システム制御部５０は、Ｓ３２５と同様にフォーカス設定がＭＦに設定されているか否かを判定する。ＭＦに設定されていると判定した場合は、Ｓ３３３へ進み、そうでない場合は、Ｓ３３１進む。
【００５７】
Ｓ３３１では、システム制御部５０は、ＡＦ＋ＭＦ機能が有効に設定されているか否かを判定する。ＡＦ＋ＭＦ機能が有効に設定されていると判定した場合は、Ｓ３３２へ進み、そうでない場合は、Ｓ３３４へ進む。
【００５８】
Ｓ３３２では、システム制御部５０は、ＡＦ＋ＭＦ機能によってフォーカスモードをＭＦに切り替え、システムメモリ５２にフォーカスモードにＭＦが設定されたことを記録し、さらにＡＦ＋ＭＦフラグをオンにする。また、図４（ｇ）のガイド４０２に示すように、表示部２８にＭＦに切り替えられたことを示すガイドを表示する。撮影準備指示がされている状態（ＳＷ１の発生中、シャッターボタン６１の半押し中）で、コントローラリング７４の回転がされた場合には、Ｓ３２７におけるＡＦの処理後にＭＦに切り替える。また、撮影準備指示後に（撮影待機状態ではない）コントローラリング７４の回転をした場合には、ユーザはＡＦでの合焦処理を行った上でさらに細かく所望の合焦状態となるようにフォーカス調整を行いたいとしている可能性が高い。つまり、ユーザはＡＦで大まかなフォーカス調整を行った上でＭＦによるより詳細なフォーカス調整を行うような、撮影前の一時的なＭＦによるフォーカス調整をしようとしている可能性が高い。このようなフォーカス調整を行おうとしているユーザにとっては、ＳＷ１解除後もＭＦに切り替えたままにすると、ユーザが次に撮影準備指示を行う際に、ＡＦでのフォーカス調整が行われないため意図したフォーカス処理ではなくなってしまう可能性がある。つまり、次に撮影指示をする際に、ＡＦがされないと、ユーザはＭＦでフォーカス調整をしなければならないか、メニュー画面において再びフォーカス設定をＡＦに戻す操作をしなければならない。このような操作性の低下を防ぐために、撮影準備指示後にコントローラリング７４の回転によってＭＦに切り替えられた場合には、ＡＦ＋ＭＦフラグをオンにする。ＡＦ＋ＭＦフラグがオンの場合には、Ｓ３３９で後述するように撮影準備指示の解除に応じてフォーカスモードをＡＦに切り替える。なお、このとき、不揮発性メモリ５６に記録されているフォーカスモードはＡＦのままである。すなわち、この時点で電源が切られて再度電源ＯＮとなるとＡＦモードとなる。なお、撮影準備指示後にコントローラリング７４の操作を行った場合には、ＡＦ＋ＭＦの機能によるＭＦへの切り替えであっても、リングＭＦ機能によるＭＦへの切り替えであっても表示部２８の表示は変わらない。また、いずれの場合にもコントローラリング７４の操作でフォーカス位置を調整可能である。
【００５９】
Ｓ３３３では、システム制御部５０は、Ｓ３２２と同様に、コントローラリング７４の回転量を検出し、検出した回転量に応じた分、フォーカス位置を変更（レンズの位置を移動）させる。すなわち、マニュアルでのフォーカス調整が行われる。
【００６０】
Ｓ３３４では、システム制御部５０は、シャッターボタン６１が全押しされたか（すなわち第二シャッタースイッチ６４がＯＮとなったか）否かを判定する。全押しされたと判定した場合は、Ｓ３３５へ進み、そうでない場合は、Ｓ３３６に戻る。なお、シャッターボタン６１が全押しされると、ＳＷ１が発生している状態（撮影準備指示がされている状態）から、ＳＷ２が発生している状態（撮影指示がされた状態）となる。よって、後述するＳ３３６でシャッターボタン６１の半押しの状態（ＳＷ１）が解除されたかを判定するが、ここではシャッターボタン６１の全押しは半押しをされた状態からさらに押下された状態なので、ＳＷ１はまだ解除されていない状態であるとする。
【００６１】
Ｓ３３５では、システム制御部５０は、シャッター１０１を用いた静止画撮影処理を行い、記録媒体２００に撮像部２２により得られた画像を記録する。このとき、フォーカスモードがＡＦであればＡＦによりフォーカス調整がされた画像が、ＭＦであればユーザのコントローラリング７４の操作によりフォーカス調整された画像が記録される。
【００６２】
Ｓ３３６では、システム制御部５０は、シャッターボタン６１の半押しの状態が解除されたか（すなわち第一シャッタースイッチ６２がＯＮでなくなったか）否かを判定する。半押しの状態が解除されたと判定した場合は、Ｓ３３７へ進み、そうでない場合は、Ｓ３２９へ戻る。
【００６３】
以下のＳ３３７〜Ｓ３３９の処理は、シャッターボタン６１が半押しされた状態から押下を解除された場合に、ＭＦからＡＦに切り替えるか、ＭＦのままにしておくかの判定及び設定を行う処理である。なお、Ｓ３３６においてＡＦに設定されている場合には、シャッターボタン６１の押下状態が解除されてもＡＦのままである。
【００６４】
Ｓ３３７では、システム制御部５０は、Ｓ３２１においてリングＭＦフラグがオンにされていたか否かを判定する。リングＭＦフラグがオンにされていた場合には、Ｓ３３８へ進み、そうでない場合は、Ｓ３３９に進む。
【００６５】
Ｓ３３８では、システム制御部５０は、Ｓ３１５と同様に、ガイド４０４を表示部２８に表示し、Ｓ３０１へ戻る。この場合は、ＳＷ１解除前はＭＦ設定であり、ＳＷ１解除後もＭＦ設定を維持する。
【００６６】
Ｓ３３９では、システム制御部５０は、Ｓ３３２においてＡＦ＋ＭＦフラグがオンにされていたか否かを判定する。Ｓ３３２においてＡＦ＋ＭＦフラグがオンにされていた場合には、Ｓ３４０へ進み、そうでない場合は、Ｓ３０１へ進む（フォーカスモードは維持）。ＡＦ＋ＭＦフラグがオンにされていた場合には、撮影準備指示後にコントローラリング７４への操作によってＡＦからＭＦに切り替えられたので、ユーザが撮影直前の一時的な期間にＭＦをしようとした可能性が高い。または、ＡＦをした上で撮影直前に詳細なフォーカス調整をＭＦにより行おうとしたのであって、フォーカス調整を全てＭＦにより行おうとしていない可能性が高い。よって、Ｓ３３９でＹｅｓとなった場合には、Ｓ３４０〜Ｓ３４１においフォーカスモードをＡＦに戻す処理を行う。
【００６７】
Ｓ３４０では、システム制御部５０は、システムメモリ５２に記録しているフォーカスモードをＭＦからＡＦに切り替えて記録する。また、図４（ｈ）に示すように撮影準備指示が解除されたので、表示部２８のガイド４０２を非表示にする（撮影準備指示前の待機状態と同じ表示形態）。撮影準備指示後にコントローラリング７４の操作によってＡＦからＭＦに切り替えられたので、撮影準備指示が解除されたらＡＦに戻す。このように、撮影指示と共に（直前に）行う撮影準備指示後に、コントローラリング７４の操作によりＭＦに切り替えられたので、撮影準備指示の解除と共にＡＦへと切替直すとユーザはわざわざ、ＡＦに戻す操作をしなくてよいのですぐ次の撮影に移行できる。ＡＦ＋ＭＦの機能によりフォーカス調整を行う場合には、シャッターボタン６１の半押しを解除しなければ、全押しをするたびに一度設定したフォーカス状態で、もしくはＭＦによる微妙なフォーカス調整をしながら何度も撮影を行うことができる。よって、ユーザがシャッターボタン６１の押下を解除したという場合にはユーザが一連の撮影（一枚の撮影を含む）を終了しようとしている可能性が高いため、このタイミングでフォーカスモードをＡＦに戻す。すなわち、ユーザがコントローラリング７４を操作し始めた時から、一連の撮影を終了するまでの期間ＭＦに切り替えるようにすることで撮影前の一時的な期間だけフォーカス調整をＭＦで行うことができる。なお、シャッターボタン６１の全押しが解除され、半押しの状態になったことに応じてＡＦに切り替えてしまうと、撮影処理を行う度にＡＦがされ直してしまい、撮影をしながら、撮影結果をみて微妙なフォーカス調整をすることができなくなる。よって、シャッターボタン６１の押下の解除（半押しの解除）がされた時（ユーザが現在のフォーカス状態での一連の操作を終了しようとした時）に、ＡＦにすることで一連の撮影においてユーザがより詳細なフォーカス調整を行いやすくなる。なお、デジタルカメラ１００の電源が入ったら不揮発性メモリ５６に記録されているフォーカスモードをシステムメモリ５２に展開し、システムメモリ５２を読み込むことでフォーカスモードの処理を行うようにする。このとき、フォーカスモードの切り替えがあった場合には、システムメモリ５２のフォーカスモードに関する情報を記録し直す。すなわち、撮影準備指示前であっても後であっても、コントローラリング７４の操作に応じてＭＦに切り替えられた場合には、システムメモリ５２にＭＦに切り替えられたことが記録される。ただし、リングＭＦ機能によりＭＦに切り替えられたのか、ＡＦ＋ＭＦによりＭＦに切り替えられたのかを同時に記録し、リングＭＦ機能によりＭＦに切り替えられた場合にはＳＷ１解除されてもＡＦに戻らないようにする。
【００６８】
Ｓ３４１では、システム制御部５０は、ＡＦ＋ＭＦフラグをオフにする。
【００６９】
以上、説明した実施形態によれば、ユーザは撮影待機中であっても、撮影準備指示後であってもＡＦからＭＦに切り替えることができ、さらにユーザが撮影前の一時的な期間にＭＦにしようとしている場合には一時的にＭＦにすることができる。よって、よりユーザの意図に沿った期間ＭＦに切り替えることができる。撮影待機中にコントローラリング７４の操作によりＡＦからＭＦに切り替えられた場合には、撮影準備指示が解除された後もＭＦのままにする。また、撮影準備指示後にコントローラリング７４の操作によりＡＦからＭＦに切り替えられた場合には、撮影準備指示の解除に応じてＡＦに戻す。ユーザは撮影待機中であっても、撮影準備指示後であってもコントローラリング７４の操作によりＡＦからＭＦへの切り替えができるので、一時的なＭＦにするのか、ＭＦにしたままにするのかを考えて操作部材を変更する必要がなくスムーズに操作を行える。
【００７０】
なお、上述した実施形態では静止画モードにおける処理を説明したが、コントローラリング７４によるＡＦからＭＦへの切り替えは動画モードにおいても行うことができる。ただし、本実施例の動画モードの場合には、撮影準備指示の状態がなく、撮影指示がされると記録が開始されるのでＡＦ＋ＭＦの機能は無効になる。動画記録中にコントローラリング７４の操作によってＡＦからＭＦに切り替えられた場合には、記録の終了後もＭＦのままである。
【００７１】
なお、Ｓ３２４において撮影準備指示がされた後は、撮影指示、またはＭＦに切り替えられるまで継続して合焦処理を続けてもよいし、撮影準備指示に応じて１度だけ合焦処理を行ってもよい。
【００７２】
また、本実施形態ではフォーカス調整をするＡＦとＭＦでの切替について説明したが、これに限らず、シャッタースピード、絞り、ＩＳＯ感度の設定にも適用可能である。すなわち、フォーカス調整の設定以外にも、ユーザのコントローラリング７４の操作量に応じて変えるのか（マニュアル）、撮像部の得た撮像画像を解析し自動（オート）で設定をするのかを切り替える場合にも適用可能である。
【００７３】
また、リングＭＦフラグはオンになった後、Ｓ３１７においてＡＦに戻された場合や、Ｓ３１３においてＡＦに設定された場合、Ｓ３０９においてリング機能にその他の機能が設定された場合、電源がＯＦＦになった場合にはＯＦＦにする。電源がＯＦＦになり、再び電源ＯＮになると、ＡＦに設定される。さらに、Ｓ３１２において（メニュー画面で）ＭＦに設定された場合にはリングＭＦフラグをオフにし、Ｓ３１６での操作によって容易にＡＦに戻せないようにする。もしくは、リングＭＦフラグがオンになった後、１時間や３時間といった所定時間以上経過したことに応じて、リングＭＦフラグをオフにして、ＡＦに戻すようにしてもよい。このように、リングＭＦ機能によりＭＦにした場合には、メニュー画面においてＭＦにした場合と異なり、メニュー画面においてＡＦに戻さなくてもＡＦに戻ることができる。
【００７４】
なお、リングＭＦ機能によりＭＦに切り替えられた場合には、不揮発性メモリ５６、システムメモリ５２のフォーカスモードの設定をＭＦに設定し、ＡＦ＋ＭＦによりＭＦに切り替えられた場合には、システムメモリ５２において設定をし直してもよい。つまり、リングＭＦ機能によりＭＦに切り替えられた場合には電源がＯＦＦになり、再びＯＮになってもＭＦのままになるようにしてもよい。
【００７５】
なお、システム制御部５０が行うものとして説明した上述の各種制御は１つのハードウェアが行ってもよいし、複数のハードウェアが処理を分担することで、装置全体の制御を行ってもよい。
【００７６】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００７７】
また、上述した実施形態においては、本発明をデジタルカメラ１００に適用した場合を例にして説明したが、これはこの例に限定されず、フォーカス調整の制御を行うことのできる装置であれば適用可能である。即ち、本発明はパーソナルコンピュータ（ＰＣ）や、携帯電話端末や携帯型の画像ビューワ、デジタルフォトフレーム、音楽プレーヤー、ゲーム機、電子ブックリーダー、タブレットＰＣ、スマートフォン等に適用可能である。また、デジタルカメラ等で撮像したライブビュー画像を有線または無線通信を介して受信して表示し、リモートでデジタルカメラ（ネットワークカメラを含む）を制御するスマートフォンやタブレットＰＣ、デスクトップＰＣなどの装置にも適用可能である。
【００７８】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
0006758843.tif 000002
【図２】
0006758843.tif 000003
【図３】
0006758843.tif 000004
【図４】
0006758843.tif 000005